(57)【要約】  絵画ディスプレイフレームは、前側部および後側部を含む。ディスプレイフレームの後部内に凹部が設けられる。後部の凹部内に揮発性材料ホルダが配置される。揮発性材料ホルダは貯留部と気体透過膜を含む。ディスプレイフレームの側壁に、凹部の一部分に連通したスロットが配置される。凹部の一部分は、装飾的要素を保持するように構成される。
2009532100.tif 000002
【特許請求の範囲】
【請求項１】
前部および後部を有するディスプレイフレームと、
前記ディスプレイフレームの前記後部に設けられた凹部と、
前記後部の凹部内に配置され、貯留部および気体透過膜を含む揮発性材料ホルダと、
前記ディスプレイフレームの側壁に設けられ、前記凹部の一部分に連通したスロットと、
を備え、前記凹部の一部分が装飾的要素を保持するように構成される、絵画ディスプレイフレーム。
【請求項２】
前記凹部の一部分は、高さおよび幅の少なくとも一方が約３０ｍｍ〜約６０ｍｍの範囲内である、請求項１記載の絵画ディスプレイフレーム。
【請求項３】
前記凹部の一部分は、約１ｍｍ〜約５ｍｍの範囲内の厚さを有する、請求項１記載の絵画ディスプレイフレーム。
【請求項４】
突起物が、前記後部から外向きに延出する、請求項１記載の絵画ディスプレイフレーム。
【請求項５】
前記装飾的要素は、写真、絵画および図画の少なくとも１つを含む画像である、請求項１記載の絵画ディスプレイフレーム。
【請求項６】
前記装飾的要素は、前記凹部の一部分に配置されると、前記絵画ディスプレイフレームの前記前部を通して前記貯留部が実質的に見えないよう遮る、請求項１記載の絵画ディスプレイフレーム。
【請求項７】
前記装飾的要素は、前記凹部の一部分に配置されると、前記絵画ディスプレイフレーム内の中央に置かれる、請求項１記載の絵画ディスプレイフレーム。
【請求項８】
前面および後面を有するフレームと、
前記フレームの後面に設けられ、外側凹部と、中間凹部と、内側凹部と、を含む段付凹部と、
前記外側凹部および中間凹部内に配置され、気体透過膜を含むディスペンサと、
前記ディスプレイフレームの側壁に設けられ、前記段付凹部と連通するチャネルと、
を備え、
前記内側凹部は、装飾的要素を保持するように構成される、ディスプレイフレーム。
【請求項９】
前記ディスペンサは、ブリスタの周囲に延出するフランジを含み、前記フランジは前記外側凹部内に配置され、前記ブリスタは前記中間凹部内に配置される、請求項８記載のディスプレイフレーム。
【請求項１０】
前記ブリスタの底壁は、前記内側凹部の底面から離間される、請求項９記載のディスプレイフレーム。
【請求項１１】
前記底壁の周囲部分は、前記中間凹部の側壁から離間される、請求項１０記載のディスプレイフレーム。
【請求項１２】
少なくとも１つの突起が、前記中間凹部の側壁に設けられる、請求項１１記載のディスプレイフレーム。
【請求項１３】
前記装飾的要素の側方向移動および長手方向移動の少なくとも一方を防止するための手段をさらに備える、請求項８記載のディスプレイフレーム。
【請求項１４】
前記内側凹部は、実質的に方形であり、底面、底壁、２つの側壁、および、開口上端部によって画成される、請求項８記載のディスプレイフレーム。
【請求項１５】
前記装飾的要素の第１端部は、前記内側凹部の底壁の上に配置される、請求項１４記載のディスプレイフレーム。
【請求項１６】
装飾的要素をディスプレイするためのフレームであって、
その面上にディスペンサを配置されて有するフレームと、
前記フレームの外側表面からその内部の空間へ延出するチャネルであって、前記空間は、前記フレームの内部に向かう前記ディスペンサの底壁と前記フレームの凹部とによって画成される、チャネルと、
を備え、
前記チャネルは、装飾的要素を前記空間内に挿入可能にするように構成される、フレーム。
【請求項１７】
前記空間を構成する前記フレームの部分は、底面および複数の壁を含む、請求項１６記載のフレーム。
【請求項１８】
前記ディスペンサの底壁と前記凹部の底面との間の空間は、摩擦力によってその間に前記装飾的要素を保持するように構成される、請求項１７記載のフレーム。
【請求項１９】
前記ディスペンサの底壁と前記凹部の底面との間の空間は、前記装飾的要素の厚さと実質的に同一サイズであるか、それより大きいサイズの少なくとも一方であるように構成される、請求項１７記載のフレーム。
【請求項２０】
前記ディスペンサの底壁と前記凹部の底面との間の空間は、前記装飾的要素の厚さより実質的に大きい、請求項１７記載のフレーム。
【発明の詳細な説明】
【技術分野】
【０００１】
関連出願への相互参照
本願は、２００４年６月３０日に出願された米国特許出願第１０／８８１，８１６号、２００５年４月２９日に出願された米国特許出願第１１／１１８，５００号、および、２００６年１月２３日に出願された米国特許出願第１１／３３７，２７７号の一部継続出願である。本願は、すべてのこのような先の出願の利益を主張し、これら出願は、その全体が本明細書に参照により組み込まれる。
連邦政府の資金提供を受けた研究開発の記載
該当なし
シーケンスリスト
該当なし
【０００２】
本発明は、主に、揮発性材料ディスペンサに関し、より詳細には、額縁と組み合わされた揮発性材料ディスペンサに関する。
【背景技術】
【０００３】
揮発性材料ディスペンサは、フレグランス（芳香剤）をオフィスまたは家庭環境に提供するために使用されている。そのようなディスペンサの１つは、額縁およびエアフレッシュナ容器を組み合わせた装飾的な設計である。額縁は、矩形であり、底壁と頂壁と２つの側壁とを有する。側壁の一方は、スロットを有する。容器の前面を通って開口が延出する。額縁の後面には、開口部を備えた容器が設けられる。容器は、額縁の後面から外向きに、及び互いに向けて内向きに延出する側部を有する。側部は、側壁から内向きに離間されており、平坦な後部によって接続される。
【０００４】
別のディスペンサは、内部に矩形開口を配置されて備えた前部パネルを有する矩形ハウジングを備えた車用のエアフレッシュナ支持体である。写真が開口に隣接して入れ子状に収容され、それにより写真の周縁が前部パネルの内側部分に隣接する。裏蓋が写真の後ろに配置されて、これを前部パネルと裏蓋との間に押圧して保持するようにする。フレグランスが染み込んだ矩形パッドが、裏蓋に隣接して配置される。
【０００５】
さらに別のディスペンサは、前面および後面を有する矩形ハウジングを備えたエアフレッシュナ額縁であり、前面は矩形前部開口を備えた前部パネルを有し、後面は後部開口を有する。背部パネルが後面に配置され、透明なシートおよびアートワークを押圧し、その両方を後面内の適所に保つ。エアフレッシュナ材料が、背部パネルの背面側に取り付けられた容器内に設けられ、容器は、前記材料からフレグランスを拡散可能にする通気孔を有する。
【発明の開示】
【課題を解決するための手段】
【０００６】
本発明の１つの実施形態によれば、絵画ディスプレイフレームは、前部および後部を有するディスプレイフレームを備える。凹部（窪み）がディスプレイフレームの後部に設けられる。揮発性材料ホルダが後部の凹部内に配置される。揮発性材料ホルダは、貯留部および気体透過膜を含む。凹部の一部分に連通するスロットが、ディスプレイフレームの側壁に設けられる。凹部の一部分は装飾的要素を保持するように構成される。
【０００７】
本発明の別の実施形態によれば、ディスプレイフレームは、前面および後面を有するフレームを備える。段付凹部が、フレームの後面に設けられる。段付凹部は、外側凹部と、中間凹部と、内側凹部と、を含む。ディスペンサが、外側凹部および中間凹部内に配置される。ディスペンサは、ブリスタおよび気体透過膜を含む。段付凹部に連通するチャネルが、ディスプレイフレームの側壁に設けられる。内側凹部は、装飾的要素を保持するように構成される。
【０００８】
本発明のさらに別の実施形態によれば、装飾的要素をディスプレイするためのフレームは、その面上にディスペンサを配置されて有するフレームを備える。チャネルが、フレームの外側表面からその内部の空間へ延出する。前記空間は、フレームの内部に向かうディスペンサの底壁とフレームの凹部とによって画成される。チャネルは、装飾的要素を空間内に挿入可能に構成される。
【０００９】
本発明の他の態様および利点は、下記の詳細な説明を読み図面を参照すれば明らかである。
【発明を実施するための最良の形態】
【００１０】
図１〜１１を参照すると、揮発性材料分配システム１０が例示される。分配システム１０は、揮発性材料ディスペンサ１２と、装飾的要素１４と、ディスペンサ１２および装飾的要素１４を保持するためのディスプレイフレーム１６と、を含む。装飾的要素１４は、画像、写真、絵画、図画、織物組織、布印刷物（ファブリックプリント）、枯葉や加工された皮革等の有機材料、プラスチック材料、または、美的外観を備えた他の任意の材料であってもよい。さらに、装飾的要素１４は、ディスペンサ１２内に挿入後は、完全にまたは部分的に機能的であってよい。たとえば、装飾的要素１４は、ビルを通るナビゲートの仕方等の標示を提供してもよく、或いは装飾的要素１４は家庭のショッピングリストであってもよい。
【００１１】
図１、２および７〜９を特に参照すると、ディスペンサ１２は、ブリスタ１８と、周囲フランジ２０と、ブリスタ１８およびフランジ２０に取り外し可能に接着された不透過ラミネート２２と、を含む。ブリスタ１８は、無孔透過膜２４と、カップ形構造２６と、を含む。カップ形構造２６は、透過膜２４とともに、揮発性材料３２を含むための封止された貯留部として全体として作用する底壁２８と４つの側壁３０とを含む。
【００１２】
例示として、カップ形構造２６は、ナイロンラミネートに接着剤で結合されたリサイクルポリエチレンテレフタレート（ＲＰＥＴ）層から構成される。ナイロンラミネートはまた、中間のナイロン層の各側部に共に押出されたエチレン酢酸ビニル（ＥＶＡ）の層を含んでもよい。１つの実施形態におけるカップ形構造２６のナイロンラミネートおよびＲＰＥＴ層は、約０．３ｍｍ（０．０１２インチ）約〜０．４ｍｍ（０．０１６インチ）の厚さを有する。カップ形構造２６は、略矩形および／または方形であり、約３ｍｍ（０．１１８インチ）〜約５ｍｍ（０．１９７インチ）の高さ、約５０ｍｍ（１．９６９インチ）〜約６０ｍｍ（２．３６２インチ）の長さ、および、約５０ｍｍ（１．９６９インチ）〜約６０ｍｍ（２．３６２インチ）の幅の全体寸法を有する。各カップ形構造２６は、４つの側壁３０を有する。対応する側壁３０は、各々が約３ｍｍ（０．１１８インチ）〜約５ｍｍ（０．１９７インチ）の高さ、および、約５０ｍｍ（１．９６９インチ）〜約６０ｍｍ（２．３６２インチ）の幅を有する。側壁３０は、底壁２８からフランジ２０へ向って、わずかに外向きに傾斜されている。底壁２８もまた略矩形であり、約４８ｍｍ（１．８９０インチ）〜約５８ｍｍ（２．２８３インチ）の長さ、および、約４８ｍｍ（１．８９０インチ）〜約５８ｍｍ（２．２８３インチ）の幅を有する。１つの実施形態におけるカップ形構造２６の側壁３０および底壁２８は、ＲＰＥＴおよびナイロンラミネートの単一シートを加熱し、次いで図２に示されるフランジ−カップ型に吹き込み及び／または圧入して、熱成形される。カップ形構造２６は、透明及び／または半透明であってもよく、ブリスタ１８内に含まれる揮発性材料３２が可視にする。代替的な実施形態において、カップ形構造２６は、着色されてもよく、または、他のやり方で薄く色づけられてもよい。
【００１３】
周囲フランジ２０は平坦であり、カップ形構造２６の頂縁部に連結され、そこから外向きに延出する。１つの実施形態では、周囲フランジ２０は、側壁３０の上縁部から外向きに延出する。フランジ２０は、先の段落で述べられたように、たとえば熱成形プロセスで、カップ形構造２６と一体的に形成される。
【００１４】
例示として、透過膜２４は、約０．０５ｍｍ（０．００２インチ）〜約０．１５ｍｍ（０．００６インチ）の厚さを有する。透過膜２４はまた、不透過ラミネート２２と一体的に形成されてもよく、透過膜２４がカップ形構造２６全体にわたって延出するようにフランジ２０に熱融着される。図７および８は、透過膜２４および不透過ラミネート２２が、内部に保存された揮発性材料３２を備えたカップ形構造２６を包んで封止することによって、内部に保存された揮発性材料３２に対して不透過性の薄い封止容器を形成するのを示す。この容器は、ユーザが不透過ラミネート２２の隅を把持して透過膜２４から不透過ラミネート２２を剥がすまで不透過性のままであり、これにより透過膜２４が露出され、揮発性材料３２が透過膜２４を通って移動及び周囲の空気内に拡散するのを可能にする（図９）。透過膜２４は、ポリプロピレン（ＰＰ）および低密度ポリエチレン（ＬＤＰＥ）の共押し出し体から構成され、透明および／または半透明であることで、ブリスタ１８内に含まれる揮発性材料３２を可視にする。
【００１５】
不透過ラミネート２２は、ＬＤＰＥ、アルミホイル、および／または、ポリエステル（ＰＥＴ）の１つ以上の層を含んでもよい。本実施形態において、ＬＤＰＥの層がアルミホイル層の一方の側に結合され、混合ＬＤＰＥの層が、アルミホイル層の他方の側に接着される。さらに、ＰＥＴ層がＬＤＰＥ層に接着される。押出結合材料を使用して、層を一緒に結合してもよい。例示として、不透過ラミネート２２は、約０．０５ｍｍ（０．００２インチ）〜約０．２ｍｍ（０．００８インチ）の間の厚さを有する。ポリエステル層は、一般に印刷に適しており、不透過ラミネート２２の外側層であってもよい。
【００１６】
揮発性材料３２をカップ形構造２６内に配置することに続いて、フランジ２０と透過膜２４との間が封止され、それによってディスペンサ１２が形成される。上記したように、不透過ラミネート２２は、たとえば不透過ラミネート２２と透過膜２４とが共押し出しされる場合は、透過膜２４と同時にブリスタ１８に付加されてもよい。透過膜２４および不透過ラミネート２２は、任意の従来の手段、たとえば、接着剤、ヒートシール、および／または、圧接等を使用して、ブリスタ１８のフランジ２０に付加されてもよい。封止は、空気および／または揮発性材料３２の漏れを防止するように、実質的に気密である。揮発性材料３２は、ブリスタ１８内の空間を完全には満たさない。ブリスタ１８の作成に伴って後に、ディスペンサ１２内に比較的少量の空気を許容することができる。たとえば、封止されたブリスタ１８の空気は、ブリスタ１８の容量全体のせいぜい約３％〜約１０％である。揮発性材料３２はディスペンサ１２から拡散する際、透過膜２４を通ってブリスタ１８に入る空気は、ほとんどないかまたは全くない。１つの実施形態において、透過膜２４は、比較的少ない数の気泡が形成されるかまたはまったく形成されずに、膨張及び崩壊する（潰れる）ように構成される。
【００１７】
ディスペンサ１２が満たされ、不透過ラミネート２２が透過膜２４を覆っているときには、実質的に揮発性材料３２の拡散はない。例示として、不透過ラミネート２２は、ユーザが不透過ラミネート２２の端を把持し、これをブリスタ１８から剥がすことによって、ブリスタ１８から取り外される。把持するためのタブ３４、拡張部または他の手段が、不透過ラミネート２２を取り外すのを補助するために不透過ラミネート２２の拡張部として含まれてもよい。拡張部は、不透過ラミネート２２の隅、端、および／または、表面にあってもよい。
【００１８】
不透過ラミネート２２を取り除いた後、分配システム１０は、満杯の状態または第１の状態（図７および８）から空の状態または第２の状態（図９）へ移行し始める。少量の揮発性材料３２がブリスタ１８に残っていても、ディスペンサ１２は依然として、第２の状態に到達しているとみなされてよい。揮発性材料３２が透過膜２４を通って拡散するにつれて、透過膜２４は、ゆっくりと底壁２８上に潰れる。図９を参照すると、透過膜２４を透過した揮発性材料３２の拡散後には、ディスペンサ１２内に含まれる揮発性材料３２は、少なくなっている。実質的に、揮発性材料３２の拡散に続いてディスペンサ１２に空気は入らない。これ結果は、透過膜２４にわたる圧力勾配であり、ディスペンサ１２内の圧力よりも高い圧力が周囲空気に排出される。圧力勾配により周囲空気はディスペンサ１２に正味の正圧をかけ、透過膜２４を残っている揮発性材料３２に対して、最終的には底壁２８に対して押圧する。揮発性材料３２が続いて拡散されると、透過膜２４にかかる力が増加し、これが残っている揮発性材料３２を底壁２８の中心から底壁２８の周辺に向けて移動させる。揮発性材料３２が続けて拡散し移動すると、結果として、ディスペンサ１２が空、またはほとんど空になるまで、透過膜２４と底壁２８との間で接触する表面積が増加する。最終的に結果として揮発性材料３２が移動することになる圧力勾配は、揮発性材料が透過膜２４を越えて拡散し続けるにつれて、ディスペンサ１２内に存在する圧縮真空が増加するために発生するとみなされてもよい。
【００１９】
ディスペンサ１２がほぼ空のとき、その中に少量の揮発性材料３２が残っていてもよい。揮発性材料３２は、典型的に、底壁２８の周辺に向かうリング状外観（図示せず）の形態で存在することになる。しかし、他の実施形態では、周囲空気とディスペンサ１２の内部との間の圧力勾配が減少され、それによって、残っている揮発性材料３２がリング状外観を形成する傾向を減少させる。さらに他の実施形態では、一定の増粘剤の濃度により、残っている揮発性材料３２に乾燥結晶形状を与える。１つの実施形態において、第１の状態で分配システム１０の揮発性材料３２全体の組成のおよそ１％〜３％を構成するよう、染料および増粘剤が組み合わされる。異なる実施形態において、第１の状態で分配システム１０の揮発性材料３２全体の組成のおよそ２％を構成するよう、染料および増粘剤が組み合わされる。ディスペンサ１２が空に近いときには染料がより高い組成で揮発性材料３２に存在するが、それは、利用される染料が透過膜２４を越えて容易に拡散しないからである。染料のより高い蓄積により、リング状外観をより容易に見ることができるようになる。リング状画像の色は、染料の材料が濃度を増すため、第１の状態の色よりもより強い色である。第２の状態において、増粘剤および染料は、ディスペンサ１２内に残された材料のほぼすべてを含む。当然ながら、これは、揮発性材料３２に利用される特定の染料組成および増粘剤に依存して変化してもよい。
【００２０】
ディスプレイフレーム１６は、４つの実質的に等しいサイズの側壁３６（図１、３、５および６）と、前面３８（図４）と、後面４０（図１および３）とを備えた矩形構造物である。１つの実施形態では、ディスプレイフレーム１６は、約１２ｍｍ（０．４７２インチ）〜約２２ｍｍ（０．８６６インチ）の範囲内の厚さ、および、約７０ｍｍ（２．７５６インチ）〜約９０ｍｍ（３．５４３インチ）の範囲内の高さおよび幅を有する。別の実施形態において、ディスプレイフレーム１６は、約１６ｍｍ（０．６３０インチ）の厚さ、および、約８６ｍｍ（３．３８６インチ）の高さおよび幅を有する。１つの実施形態ではディスプレイフレーム１６の前面３８は、約３０００ｍｍ2以上の表面積を有する。
【００２１】
ディスプレイフレーム１６の前面３８は、凹部４２を含む。凹部４２は、４つの側壁および底壁４４によって画成された方形のくぼみである。凹部４２は、ディスプレイフレーム１６に、凹部４２の底壁４４を囲い縁取りを作る額縁の外観を与える。図７は、分配システム１０の断面図を示すものであり、装飾された額縁状の段または湾曲４６を有する凹部４２を画成する側壁を示す。凹部４２は、前面３８の中央に置かれ、側壁３６から離れて配置される。前面３８は、凹部４２を画成する縁のまわりに延出する境界線のように見え、前面３８は、約５ｍｍ（０．１９７インチ）〜約２０ｍｍ（０．７８７インチ）の範囲内の一定の幅を有する。異なる実施形態では、前面３８は、平坦であってもよく、凹部がなくてもよい。さらに別の実施形態では、単一の段付凹部が設けられる。さらに別の実施形態では、複数の段付凹部が設けられる。本願に記載された実施形態のいずれにおいても、凹部を画成する側壁は、湾曲した壁および／または形作られた壁を含んでもよい。さらに、本願に記載された実施形態のいずれにおいても、隆起したリブが、ディスプレイフレーム１６の側壁３６に隣接した前面３８の外側周縁のまわりに延出してもよい。
【００２２】
ディスプレイフレーム１６の後面４０は、段付側壁およびそれらの間に配置された方形のくぼみによって画成された段付凹部５０を含む。図３および７は、段付凹部５０がディスペンサ１２を完全に受容するように構成され、ディスペンサ１２は、透過膜２４の表面が後面４０と実質的に同一平面上にあるように配置されることを示す。段付凹部５０は、浅い周辺凹部５２と深い中心凹部５４とを含む。中心凹部５４は、カップ形構造２６を受容するように構成及び寸法決定され、周辺凹部５２は、フランジ２０を受容し支持するように構成及び寸法決定される。組み合わされた中心凹部５４および周辺凹部５２は、ディスペンサ１２のものと同一の逆形状（ｎｅｇａｔｉｖｅ  ｓｈａｐｅ）を有する。
【００２３】
１つの実施形態における周辺凹部５２は、フランジ２０を適所に保持するように構成される機械的および／または接着性の保持手段（図示せず）を有する。フランジ２０および周辺凹部５２を画成する段付側壁は、接着剤の使用を介して、または代替的に機械的手段、たとえば締まり嵌めを介して、または別個の機械的締結具、たとえばばねクリップを介して、互いに接着されてもよい。さらに、反対の極を有する一対の磁石またはフェライト系材料と組み合わされた磁石を利用して、フランジ２０を周辺凹部５２の段付側壁に隣接して保持することもできる。接着剤が使用されるときには、フランジ２０をディスプレイフレーム１６に永久に接着するか、または、代替的に、容易な取り外しのために解放可能に接着するか、のいずれかによってフランジとフレームの接着剤が選ばれてもよい。このようにして、ディスプレイフレーム１６は、永久的な品目であっても、一連の交換ディスペンサ１２が取り付けられ、後に取り外され交換される、再使用可能な品目であってもよい。紫外線（ＵＶ）硬化接着剤もまた使用されてもよい。
【００２４】
図７に見られるように、中心凹部５４は周辺凹部５２よりも深いが、それは、カップ形構造２６、フランジ２０および透過膜２４が組み合わされた、より大きな厚さを収容しなければならないからである。カップ形構造２６の底壁２８は、中心凹部５４の底部５６に隣接し、それからわずかに離間している。中心凹部５４および周辺凹部５２は、後面４０の縁から中心方向に離間されている。
【００２５】
ディスプレイフレーム１６の後面４０はまた、ディスプレイフレーム１６の下側６０に隣接して配置された湾曲した脚部５８も含む。ディスプレイフレーム１６の下側６０は、支持面に対して載っている側壁３６の１つによって画成される。湾曲した脚部５８は、ディスプレイフレーム１６の安定性を増し、これが転倒するのを防止する。しかし、ディスプレイフレーム１６が転倒した場合には、湾曲した脚部５８は、揮発性材料３２によって支持面が損傷する可能性が最小限になるように、透過膜３４を支持表面から離間させる。湾曲した脚部５８は、その最遠位点で、約４ｍｍ（０．１５７インチ）〜約７ｍｍ（０．２７６インチ）、後面４０から外向きに延出する。
【００２６】
図１０および１１を特に参照すると、ディスプレイフレーム１６が、前部および後部のブロック６２、６４を合わせて結合することによって形成されてもよいことが示される。前部ブロック６２は、前面３８の位置およびサイズに釣り合った前部パネル６６および後部パネル６８を含む。同様に、後部ブロック６４は、後面４０の位置およびサイズに釣り合った前部パネル７０および後部パネル７２を含む。前部および後部のブロック６２、６４は、ディスプレイフレーム１６のそれにほぼ等しい長さおよび幅の寸法を有する。さらに、前部および後部のブロック６２、６４が組み合わされた厚さは、ディスプレイフレーム１６の厚さにほぼ等しい。前部ブロック６２の後部パネル６８は、後部ブロック６４の前部パネル７０と結合されて、ディスプレイフレーム１６を作り、前部および後部のブロック６２、６４は、継ぎ目７４で結合される。
【００２７】
第１の凹部７６が、前部ブロック６２の後部パネル６８内に形成される。凹部７６は、側壁３６の１つから対向する側壁３６に隣接する区域へ延出する矩形のくぼみによって画成される。同様に、第１の凹部７６に大きさが等しくこれに位置揃えされる第２の凹部７８が、後部ブロック６４の前部パネル７０内に形成される。第１および第２のブロック６２、６４が結合されると、第１および第２の凹部７６、７８が互いに位置揃えされて、写真、絵画、及び／または、図画等の画像であってよい装飾的要素を保持及び／またはディスプレイするように構成された単一のスロット８０を形成する。あるいは、組み合わされた第１および第２の凹部７６、７８と同一の厚さを有する単一の凹部が、前部ブロック６２の後部パネル６８または後部ブロック６４の前部パネル７０のいずれかに形成されてもよい。この実施形態において、スロット８０は、フレーム１６の頂部８２に設けられ、頂部８２は、側壁３６の１つによって画成される。スロット８０は、約６０ｍｍ（２．３６２インチ）〜約１００ｍｍ（３．９３７インチ）の範囲内の高さ、約５０ｍｍ（１．９６９インチ）〜約８０ｍｍ（３．１５０インチ）の範囲内の幅、および、約１ｍｍ（０．０３９インチ）〜約５ｍｍ（０．１９７インチ）の範囲内の厚さを有する空間を画成する。より詳細には、スロット８０は、任意の装飾的要素１４がユーザによってその中に取り外し可能に挿入されるのを可能にするサイズであり、装飾的要素１４を収容するのに必要な任意の適切な高さ、幅および厚さの割合からなっていてよい。たとえば、１つの実施形態では、スロットは、約１０ｍｍ（０．３９４）〜約５００ｍｍ（１９．６８５インチ）の範囲内の高さおよび幅を有してもよく、より具体的には、約２０ｍｍ（０．７８７インチ）〜約２５０ｍｍ（９．８４３インチ）の範囲内であってもよく、最も具体的には、約４０ｍｍ（１．５７５インチ）〜約１２５ｍｍ（４．９２１インチ）の範囲内であってもよい。
【００２８】
ディスプレイフレーム１６は、ガラス、または、コポリエステル樹脂等の射出成形されたプラスチックを含む、様々な組成物から構造されてよい。例示として、ディスプレイフレーム１６は、澄んだ及び／または透明である成形ガラスから構成される。したがって、ディスプレイフレーム１６の透明な前面３８を通して装飾的要素１４を見ることができる。さらに、装飾的要素１４がスロット８０から取り外された場合には、カップ形構造２６を、透明な前面３８を通して見ることができる。上述されたように、カップ形構造２６は、澄んでいても半透明でもよく、これによりブリスタ１８内に含まれる揮発性材料３２を可視にする。
【００２９】
分配システム１０の第２の実施形態が、図１２〜１４に示されている。第２の実施形態は、非矩形形状のフレーム１００および凹部４２のない平坦な前面３８を含むことを除いて、先に記載した第１の実施形態に類似している。あるいは、本実施形態の前面３８、及び本願で検討されるそれは、前面３８内に配置された段付凹部を含んでもよい。フレーム１００は、約７６ｍｍ（２．９９２インチ）の幅および約１６ｍｍ（０．６３０インチ）の厚さを有する矩形基部１０２を含む。基部１０２は、その頂部に丸みを帯びた凹部１０４を有し、円形本体１０８の下部１０６に嵌合（ｉｎｔｅｒｆｉｔ）するように輪郭形成されている。円形本体１０８は、基部１０２と一体的であり、約１０２ｍｍ（４．０１６インチ）の直径を有する。一体的な基部１０２および円形本体１０８が組み合わされた高さは、約１０３ｍｍ（４．０５５インチ）である。スロット８０は、前面３８および後面４０の間の距離にわたる均一な側壁１１２の上部１１０に設けられる。
【００３０】
分配システム１０の第３の実施形態が、図１５〜１７に示される。第２の実施形態と同様に、第３の実施形態は、フレーム１２０が非矩形構造を備え、且つ凹部４２のない平坦な前面３８を有するという点で、第１の実施形態とは異なる。フレーム１２０は、約７６ｍｍ（２．９９２インチ）の幅および約１６ｍｍ（０．６３０インチ）の厚さを有する矩形基部１２２を含む。矩形基部１２２は、その頂部に三角形凹部１２４を配置されて有し、ダイアモンド形状本体１２８の下部１２６に嵌合（ｉｎｔｅｒｆｉｔ）するように輪郭形成されている。ダイアモンド形状本体１２８は、矩形基部１２２と一体的であり、約１０３ｍｍ（４．０５５インチ）の幅（ダイアモンド形状本体１２８の対向する縁の間の距離として定義される）を有する。一体的な矩形基部１２２およびダイアモンド形状本体１２８が組み合わされた高さは、約１０７ｍｍ（４．２１３インチ）である。スロット８０は、フレーム１２０の２つの側壁１３２にわたる上部１３０に設けられる。
【００３１】
分配システム１０の第４の実施形態が、図１８〜２０に示され、フレーム１４０を示している。第４の実施形態は、非矩形フレーム１４０であること、および凹部４２のない前面３８を有することによって、第１の実施形態とは異なる。フレーム１４０は、波状形状を有する。波形状のフレーム１４０は、約１６ｍｍ（０．６３０インチ）の一定の厚さを有するが、波形状フレーム１４０のおよそ８５ｍｍ（３．３４６インチ）の幅全体にわたって内向き及び外向きに湾曲する。波形状フレーム１４０の高さは、その上部１４２が波形状の外観を有するために一定ではない。しかし、波形状フレーム１４０のピーク高さは、下部１４４から上部１４２へ測定して、約８６ｍｍ（３．３８６インチ）である。さらに、波形状フレーム１４０は、波形状フレーム１４０が、第１の実施形態の湾曲した脚部５６とは異なる波形状脚部１４６を後面３８に備えるという点で、第１の実施形態とは異なる。波形状フレーム１４０と脚部１４６とが組み合わされた厚さは、前面３６および後面３８の両方からもっとも遠く外向きに延出する点の間で測定して、約２５ｍｍ（０．９８４インチ）である。スロット８０は、波形状フレーム１４０の頂部１４８に設けられる。
【００３２】
分配システム１０の第５の実施形態が、図２１および２２に示されており、これは、ディスプレイフレーム１６についてのみ、第１の実施形態とは異なる。第５の実施形態は、矩形本体１６２を有するフレーム１６０を含む。矩形本体１６２は、その下部１６６の曲線部１６４に一体的に接続される。曲線部１６４はまた、矩形基部１６８にも一体的に接続される。矩形本体１６２は、矩形基部１６８に対して垂直ではなく、むしろ、矩形基部１６８に向けて屈曲している。フレーム１６０は、約８０ｍｍ（３．１５０インチ）の幅および約９６ｍｍ（３．７８０インチ）の高さを有し、高さは、矩形基部１６８から矩形本体１６２の上部１７０までで測定される。フレーム１６０は、約５１ｍｍ（２．００８インチ）の厚さを有し、これは、矩形本体１６２に隣接する曲線部１６４の区域から矩形基部１６８の端１７２までで測定される。スロット８０は、フレーム１６０の頂部１７４に設けられる。
【００３３】
図２３〜２５を参照すると、フレーム２００を含む揮発性材料分配システム１０の第６の実施形態が例示されている。本実施形態は、本実施形態のフレーム２００が永久的に結合された前部ブロック６２および後部ブロック６４を有さないことを除いて、第１の実施形態に類似している。むしろ、前部および後部のブロックは、機械的締結具、接着剤および／または磁石等の取り外し可能な取付手段によって、一緒に保持される。
【００３４】
図２３および２４は、前部パネル６６および後部パネル６８を備えた前部ブロック６２、および、前部パネル７０および後部パネル７２を備えた後部ブロック６４を示している。さらに、第１の凹部２０２が前部ブロック６２の後部パネル６８に設けられ、第２の凹部２０４が後部ブロック６４の前部パネル７０に設けられる。あるいは、組み合わされた第１および第２の凹部２０２、２０４と同一の厚さを有する単一の凹部が、前部ブロック６２の後部パネル６８か後部ブロック６４の前部パネル７０のいずれかに形成されてもよい。第１および第２の凹部２０２、２０４は、前部および後部のブロック６２、６４の外側周縁へ延出しない中心に配置された矩形くぼみによって画成される。第１および第２の凹部２０２、２０４は、約５０ｍｍ（１．９６９インチ）〜約７０ｍｍ（２．７５６インチ）の範囲内の長さおよび幅を有する。
【００３５】
円形凹部２０６が、後部パネル６８の矩形凹部２０２の各隅に隣接して設けられる。同様に、円形凹部２０８が、前部パネル７０の第２の凹部２０４の各隅に設けられる。磁石２１０、２１２が、それぞれ、円形凹部２０６、２０８の各々内に配置される。磁石２１０、２１２は、接着および／または圧入によって円形凹部２０６、２０８内に保持される。磁石２１０、２１２は、後部パネル６８および前部パネル７０に対して実質的に同じ高さである頂部を含む。後部パネル６８の磁石２１０は、前部パネル７０の磁石２１２とは反対の極を有する。代替的な実施形態においては、磁石２１０の少なくとも１つが、円形凹部２０６内のフェライト系材料に置き換えられ、それぞれの磁石２１２に対向する。
【００３６】
装飾的要素１４が、見られるべき側面がフレーム２００の前面３６により近いように、第１または第２の凹部２０２、２０４のいずれか内に挿入される。図２５に見られるように、前部および後部のブロック６２、６４は、その後、前部および後部の凹部２０２、２０４および磁石２１０、２１２が整列するように、合わせて押圧される。磁石２１０、２１２は、前部ブロック２０２および後部ブロック２０４を一緒に保持して、容易に分離して装飾的要素１４を変えることができる一体化フレーム２００を形成する。
【００３７】
揮発性材料分配システム１０の第７の実施形態が、図２６〜３７に示されている。第７の実施形態は、ディスプレイフレーム３００が別個に結合された前部ブロック６２および後部ブロック６４を有さないことを除いて、第１の実施形態に類似したディスプレイフレーム３００を含む。むしろ、ディスプレイフレーム３００は、４つの実質的に等しいサイズの側壁と、前面３０２と、後面３０４とを備えた単体のブロックを備える。４つの側壁は、実質的に平坦な底壁３０６と、実質的に曲線の左壁３０８、右壁３１０および頂壁３１２からなる。曲線の左壁３０８、右壁３１０および頂壁３１２は、ディスプレイフレーム３００から、それぞれの壁３０８〜３１２の両端よりも大きく外向きに延出する中心部３１４を含む。さらに、左壁３０８および右壁３１０および頂壁３１２は、壁３０８〜３１２がディスプレイフレーム３００の前面３０２からその後面３０４に向けて延出するため、内向き且つ下向きに傾斜する。１つの実施形態では、ディスプレイフレーム３００は、前部および後部の面３０２、３０４の間に、約１２ｍｍ（０．４７２インチ）〜約２２ｍｍ（０．８６６インチ）の範囲内の、または、約１５ｍｍ（０．５９１インチ）〜約１９ｍｍ（０．７４８インチ）の範囲内の厚さを有する。ディスプレイフレーム３００はまた、頂壁３１２の中心部３１４と底壁３６との間に、約６０ｍｍ（２．３６２インチ）〜約１１０ｍｍ（４．３３１インチ）の範囲内の、または、約７２ｍｍ（２．８３５インチ）〜約９８ｍｍ（３．８５８インチ）の範囲内の高さを有してもよい。同様に、ディスプレイフレーム３００は、左壁３０８および右壁３１０の中心部３１４の間に、約６０ｍｍ（２．３６２インチ）〜約１１０ｍｍ（４．３３１インチ）の範囲内の、または、約７２ｍｍ（２．８３５インチ）〜約９８ｍｍ（３．８５８インチ）の範囲内の幅を有してもよい。
【００３８】
ディスプレイフレーム３００の前面３０２または前側は、凹部３１６を含む。図２６は、凹部３１６が、４つの傾斜し湾曲した側壁３１８および底壁３２０によって画成されていることを示す。４つの側壁３１８は、隣接する底部、左部、右部および頂部の壁３０６〜３１２の１つによって画成された形状に実質的に類似した形状を有し、すなわち、底壁３０６に隣接する側壁３１８は平坦であり、底壁３０６に対して平行であり、残りの３つの側壁３１８の各々は曲線であり、それらに隣接する左部、右部および頂部の壁３０８〜３１２の１つに対して平行である。凹部３１６は、ディスプレイフレーム３００の前面３０２で中央に配置され、ディスプレイフレーム３００に、凹部３１６の底壁３２０を囲んだ額縁の外観を与える。湾曲した側壁３１８は、それぞれの底部、左部、右部および頂部の壁３０６〜３１２に対称的であってもよい任意の数の角度および／またはカーブを含んでもよい。しかし、他の実施形態では凹部を含まなくてもよく、または、複数の段付凹部か、または、任意の他のタイプの形作られた側壁を含んでもよい。１つの実施形態では、隆起したリブが、ディスプレイフレーム３００の底部、左部、右部および頂部の壁３０６〜３１２に隣接する前面３０２の外側周縁のまわりに延出する。
【００３９】
図２７、２８および３１は、ディスプレイフレーム３００の後面３０４または後側が、段付側壁およびそれらの間に配置された方形のくぼみによって画成された段付凹部３２２を含むことを示す。段付凹部３２２は、それぞれ、第１の実施形態の浅い周辺凹部５２および深い中心凹部５４に類似した周囲外側凹部３２４および中間凹部３２６を備える。段付凹部３２２はまた、内側凹部３２８を含む。
【００４０】
周囲外側凹部３２４は、ディスペンサ１２の支持フランジ２０を受容するように構成され寸法決定される。組み合わされた中間凹部３２６および外側周囲凹部３２４は、ディスペンサ１２のものと同一である逆形状（ｎｅｇａｔｉｖｅ  ｓｈａｐｅ）を有する。あるいは、中間凹部３２６および外側周囲凹部３２４は、ディスプレイフレーム３００内に配置される他の任意の揮発性材料ホルダの形状に類似した組み合わせ形状を有してもよい。ディスペンサ１２が、図３２に示されるような段付凹部３２２内に挿入されると、ディスペンサ１２は中間凹部３２６および周囲外側凹部３２４内に完全に受容され、透過膜２４の表面は実質的に後面３０４と同一平面上にあり、フランジ２０は、周囲外側凹部３２４を画成する段付側壁に載っている。フランジ２０は、他の実施形態に関して本願に記載されたものと類似した方法で、周囲外側凹部３２４を画成する段付側壁に接着される。
【００４１】
この実施形態において、中間凹部３２６は、ディスペンサ１２のカップ形構造２６を受容するように構成され寸法決定される。図３１および３２に見られるように、中間凹部３２６は周囲外側凹部３２４より深いが、それは、これがカップ形構造２６、フランジ２０および透過膜２４が組み合わされた、より大きな厚さを収容するからである。ディスペンサ１２の底壁２８の周囲部分は、中間凹部３２６を画成する段付側壁に隣接し、それに接触するか、またはそれからわずかに離間されている。ディスペンサ１２の底壁２８はまた、内側凹部３２８によって段付凹部３２２の底面３３０からも離間されている。
【００４２】
図３３および３４は、ディスプレイフレーム３００の代替的な実施形態を示しており、ディスペンサ１２の底壁２８の周辺部分は、中間凹部３２６の段付側壁から離間されている。本実施形態において、１つ以上の湾曲した突起物３３１が間隔をおいて、中間凹部３２６の段付側壁に設けられる。突起物３３１は、底壁２８と中間凹部３２６を画成する壁との間のギャップを満たす。突起物３３１は、過剰な力がディスペンサ１２にかけられたときに、ディスペンサ１２が、過度に曲がったり、壊れたり、ディスプレイフレーム３００から外れることを防止する。過剰な力は、ディスペンサ１２がディスプレイフレーム３００の後面３０４に接着されるときの、製造プロセス中の特定の要因であってもよい。他のタイプの突起物も、単一であろうと複数のものの１つであろうと、突起物の幾何学的形状とは無関係に、本開示の範囲内であるとみなされることが意図される。突起物３３１はまた、内側凹部３２８の境界から装飾的要素１４が垂直および／または側方向に動くのを防止する点で、改良された装飾的要素保持手段を提供することができ、それは下記にさらに詳細に記載される。
【００４３】
図３１および３２は、内側凹部３２８が、装飾的要素１４、たとえばいくつかの例を挙げると、写真、絵画、および／または、図画を保持及び／またはディスプレイするように構成され寸法決定されることを示す。内側凹部３２８は、実質的に方形であり、底面３３０と、底壁３３２および２つの側壁３３４からなる３つの等しいサイズの壁によって画成される。図２７、２８および３１は、開口しており、チャネル３３６またはスロットと同一の広がりを持つ内側凹部の頂端を示す。チャネル３３６は、内側凹部３２８の底面３３０と同一平面内にある底面３３８と、内側凹部３２８の対向する側壁３３４と同様の距離だけ互いに離間した２つの側部チャネル壁３４０と、を含む。側部チャネル壁３４０は、チャネルが内側凹部３２８の頂端から頂壁３１２に向けて延出するにつれて変動する厚さを備え、すなわち、側部チャネル壁３４０は、チャネル３３６の底面３３８から、中間および周囲外側の凹部３２６、３２４を画成するそれぞれの段付側壁に応じた距離だけ上向きに延出する。チャネル３３６は、頂壁３１２の一部分を通って延出し、開口端３４２を有する。
【００４４】
チャネル３３６は、ディスペンサ１２がディスプレイフレーム３００の後面３０４に連結された場合ときに、ユーザに、装飾的要素１４を内側凹部３２８内に挿入する手段を提供する。ユーザはまず、装飾的要素１４の見られるべき面が、ディスプレイフレーム３００の前面３０２に向けて配置されるように、写真等の装飾的要素１４をチャネル３３６の上に保持する。装飾的要素１４は、チャネル３３６内にチャネル３３６の底面３３８とディスペンサ１２との間に、スライドまたは他の方法で挿入される。装飾的要素１４は、その後、部分的または全体的に内側凹部３２８内に配置される。
【００４５】
いくつかの実施形態において、上記に注記されるように、ディスペンサ１２の底壁２８の周辺部分は、中間凹部３２６を画成する段付側壁から離間されることで、ギャップを形成する。これらの実施形態において、装飾的要素１４は、内側凹部３２８から側方向に（ディスプレイフレーム３００のそれぞれの左壁３０８または右壁３１０へ向けて）、及び／または、長手方向に（ディスプレイフレーム３００のそれぞれの頂壁３１２または底壁３０６へ向けて）、滑るかまたは他の方法で動いたり、ギャップ内でずれたりする可能性がある。図３３および３４に関連して記載された突起物３３１および考えられるその変形例は、装飾的要素１４が内側凹部３２８の境界内から長手方向および／または側（横）方向に動くのを防止することによって、さらなる機能的特性を提供する。
【００４６】
図３５は、装飾的要素１４が底壁３０６に向かう方向に長手方向に動くのを防止するための代替的な実施形態を示す。隆起したバー３４４が、内側凹部３２８の底壁３３２に隣接する中間凹部３２６を画成する側壁の一部分に設けられる。隆起したバー３４４は、ディスペンサ１２の底壁２８と中間凹部３２６の側壁との間のギャップを満たし、装飾的要素１４が下向きに内側凹部３２８の外にスライドするのを防止する。図３６は、同様に装飾的要素１４が底壁２８と中間凹部３２６を画成する側壁との間のギャップ内に移動するのを防止するために、隆起したバー３４４が、２つの隆起した瘤３４６ａ、３４６ｂに取って代わられることを除いて、図３５と類似した実施形態を示す。図３７に描かれたさらに別の実施形態において、波状パターンに中間凹部３２６を画成する側壁に、複数の立ち上がり部分３４８が配置される。立ち上がり部分３４８は、装飾的要素１４が内側凹部３２８内から側方向及び／または長手方向に移動するのを防止するために配置される。装飾的要素１４が内側凹部３２８から外に中間凹部３２６の部分内に移動することを実質的に防止することを補助する限り、異なる幾何学的形状を備えた様々な構造物が、本実施形態とともに使用されることが想定される。さらに、底部、左部、右部または頂部の壁３０６〜３１２に隣接して配置された任意の数の幾何学的な構造物が使用されてもよい。さらに、幾何学的な構造物は、先述の突起物３３１と同一の機能的特徴を提供してもよく、またはそれらと提携して作用してもよい。
【００４７】
ディスプレイフレーム３００の他の実施形態において、底面３３８とディスペンサ１２の部分との間の間隔は、たとえば、段付凹部３２２を画成する１つ以上の段付側壁のサイズを調整するか、チャネル３３６をより浅くするか、ディスペンサ１２のサイズを調整することの少なくともいずれかによって、装飾的要素の幅の変動が可能となるようにサイズ決定されてもよい。内側凹部３２８の底表面３３０は、同様にディスペンサ１２の底壁２８から離間されており、段付凹部３２２、内側凹部３２８、およびディスペンサ１２のサイズの少なくともいずれかを調整することによって、様々なサイズの装飾的要素を収容するように変更されてもよい。異なる実施形態では、底面３３０とディスペンサ１２との間の間隔は、底面３３８とディスペンサ１２との間の間隔とは異なっている。
【００４８】
底面３３０、３３８の少なくとも一方と底壁２８との間の間隔を調整することはまた、装飾的要素１４を内側凹部３２８内に保持する様々な手段も提供する。１つの実施形態では、底表面３３０と底壁２８との間の間隔は比較的狭いため、装飾的要素１４がその間に挿入されると、装飾的要素１４は、静止したままであり、摩擦力によって適所に保持される。別の実施形態では、間隔は同様に、ディスプレイフレーム３００が動くことによって容易に解除される摩擦嵌めを可能にする。異なる実施形態では、装飾的要素１４の幅とほぼ同一またはわずかに大きい間隔が提供される。したがって、装飾的要素１４には、摩擦力がほとんどまたはまったく与えられないが、装飾的要素１４は依然として、内側凹部３２８の底面３３０に対して完全にまたは実質的に平行のままである。さらに別の実施形態では、間隔は装飾的要素１４の幅よりも実質的に大きく、内側凹部３２８内に装飾的要素１４を配置することで、装飾的要素１４のわずかに傾斜またはその中での回転を可能にしてもよい。たとえば、写真、絵画、図画、文書、または、他の美的または機能的なタイプの情報等の任意のタイプの装飾的要素１４用に、底面３３０と底壁２８との間の間隔が調整されてもよいことが意図されている。同様に、チャネル３３６の底面３３８とそれに隣接するディスペンサ１２の任意の部分との間の間隔は、装飾的要素１４がチャネル３３６内に全体的にまたは部分的に延出する場合に調整されてもよい。
【００４９】
装飾的要素１４は、チャネル３３６の開口端３４２が通常の動作位置から傾くように、ディスプレイフレーム３００を傾斜させるか、方向を変えるか、または、回転させることの少なくともいずれかにによって、ディスプレイフレーム３００から取り外される。チャネル３３６の開口端３４２を傾斜させることは、重力のみで、またはユーザからの力と組み合わせて、装飾的要素１４を、開口端３４２を通ってディスプレイフレーム３００から取り外すのを可能にする。他の実施形態では、ユーザは、指または他の物体を使用して、装飾的要素１４を引っ張るか把持してディスプレイフレーム３００から取り外してもよい。さらに別の実施形態では、装飾的要素１４は、ディスペンサ１２をフレーム３００から引くことによって内側凹部３２８およびその中の装飾的要素１４を露出することで取り外される。
【００５０】
内側凹部３２８は、ディスプレイフレーム３００の後面３０４内で中央に配置される。内側凹部３２８を中央に配置することで、ユーザが、ディスプレイフレーム３００の底部、左部、右部および頂部の壁３０６〜３１２に対して、その中に配置されるべき装飾的要素１４を容易に中央に配置できる。内側凹部３２８の底壁３３２および２つの側壁３３４の長さは、様々なサイズの装飾的要素を収容するように調整されてもよい。たとえば、２つの側壁３３４の間の間隔あけは、装飾的要素の幅に実質的に等しいように調整されてもよく、それによって、装飾的要素を内側凹部３２８内で中央に配置する必要性をなくす。異なる実施形態では、２つの側壁３３４の間の間隔は、装飾的要素の幅よりも大きくなるように調整され、それによって、ユーザが装飾的要素１４の周囲の揮発性材料３２のレベルを見ることを可能にする。底壁３３２と内側凹部３２８の頂端との間の間隔は、同様に、装飾的要素の高さに実質的に等しいかまたは大きくなるように調整されてもよい。異なる実施形態では、装飾的要素を位置決めするために内側凹部３２８内に挿入されることができるスペーサー（図示せず）が設けられる。スペーサーは、ディスプレイフレーム３００と類似の材料または異なる材料から作られてもよく、着色されても透明であってもよい。
【００５１】
ディスプレイフレーム３００の後面３０４はまた、ディスプレイフレーム３００の下側部３５２に隣接して配置された湾曲した脚部３５０または突起物も含む。ディスプレイフレーム３００の下側部３５２は、支持面に載っている底壁３０６によって画成される。湾曲した脚部３５０は、ディスプレイフレーム３００の安定性を増し、これが転倒することを防止する。しかし、ディスプレイフレーム３００が転倒した場合には、湾曲した脚部３５０は、透過膜３４を支持面から離間させ、これにより揮発性材料３２によって支持面を損傷する可能性が減少する。湾曲した脚部３５０は、後面３０４から、その最遠位点まで、約４ｍｍ（０．１５８インチ）〜約７ｍｍ（０．２７６インチ）外向きに延出する。
【００５２】
このように、本願に開示されたあらゆる実施形態は、凹部を画成する壁とフレグランスディスペンサの一部分との間に装飾的要素を保持するように適合された内側凹部へのアクセスを提供するチャネルを含むように、当業者に周知の方法で変更されてもよい。たとえば、図３８は、図１５〜１７に描かれた第３の実施形態に類似したディスプレイフレーム４００の第８の実施形態を示す。しかし、図２６〜３２に描かれたものと類似した段付凹部４０２が、スロット８０の代わりに、後面４０に設けられる。段付凹部は、外側凹部４０４および内側凹部４０６を含み、ディスペンサおよび装飾的要素（図示せず）用の空間を提供する。チャネル４０８もまた、装飾的要素を受容するために設けられる。フレーム４００は、先に描かれた実施形態に類似するが、本実施形態は、段付凹部およびディスペンサが備えてもよい様々な形態を例示する。ディスプレイフレーム４５０の第９の実施形態が図３９に示され、これはスロット８０は除いて、図１〜７に示された第１の実施形態および図１８〜２０に示された第４の実施形態に類似している。図２６〜３２に描かれた段付凹部３２２と同一の段付凹部が、フレーム４５０の後面４０内に設けられる。フレーム４５０の頂端４５２は、波形形状を含む。さらに、参照により本願に組み込まれたあらゆる実施形態も、凹部を画成する壁とフレグランスディスペンサの一部分との間に装飾的要素を保持するように適合された内側凹部へのアクセスを提供するチャネルを含むよう、同様に変更されてもよい。たとえば、図４０は、代理人事件番号第Ｊ−４２９７号特許出願に記載されたものと同一のレフィル（詰め替え）ホルダ５０２を含むディスプレイフレーム５００の第１０の実施形態を示す。レフィルホルダ５０２は、第Ｊ−４２９７号出願に記載された任意の方法で変更されてもよく、本ディスプレイフレーム５００に付加されてよい。本実施形態は、１つ以上の装飾的要素１４およびディスペンサ１２を交換できるように、ユーザに、装飾的要素１４およびディスペンサ１２を取り外し可能に挿入し、取り除く機能を提供する。ディスプレイフレーム４００、４５０、５００の全てが、ディスプレイフレーム３００と同様に変更されてもよい。たとえば、ディスプレイフレーム５００は、特にカップ形構造２６およびディスペンサ１２の周囲フランジ２０が、それぞれ中間凹部３２６周囲凹部３２４から全体的にまたは部分的に離間されている場合に、突起物３３１または立ち上がり部分３４８を含み、装飾的要素１４を内側凹部３２８内に保持するのを補助することができる。
【００５３】
本願に記載された構造物への様々な修正例は本開示の範囲内であるとみなされることが意図されている。さらに、図２６〜４０に示された実施形態に関して提示された開示を使用して、図１〜２５に関して記載された実施形態を修正してもよく、逆も同様であることが意図されている。たとえば、チャネル３３６は、頂壁３１２ではなく、ディスプレイフレーム３００の底部、左部または右部の壁３０６〜３１０に配置されてもよく、または、突起物３３１は、図１〜２５に関して記載されたディスプレイフレーム１０の深い中心凹部５４内に配置されることができる。
【産業上の利用可能性】
【００５４】
本願に記載された揮発性材料分配システムは、フレグランスディスペンサを備えた額縁の機能的特性と審美的特性とを組み合わせることに優位性がある。このようにして、家庭またはオフィス環境で、２つの別個のユニットを使用する代わりに１つのユニットの使用が享受できる。
【００５５】
前述の説明から、多数の変更例が当業者には明らかである。それに応じて、本記載は、例示としてのみ解釈されるべきものであり、当業者が本発明を作り使用し、且つ、これを使用する最適な形態を教示可能にする目的のために提示される。添付の特許請求の範囲内に含まれるすべての変更例に対する独占的権利が留保される。
【図面の簡単な説明】
【００５６】
【図１】フレーム、ディスペンサおよび装飾的要素を含む揮発性材料分配システムの分解背面等角図である。
【図２】図１に示されたディスペンサの等角図である。
【図３】図１に示された分配システムが組み立てられた際の背面等角図である。
【図４】図３の分配システムの正立面図である。
【図５】図３の分配システムの側立面図である。
【図６】図３の分配システムの平面図である。
【図７】図４の線７−７に沿って切り取られた分配システムの断面図である。
【図８】図７に示されたディスペンサが満たされた状態の、部分拡大断面図である。
【図９】図７に示されたディスペンサが満たされていない状態の、部分拡大断面図である。
【図１０】フレームを構成する前部ブロックおよび後部ブロックの分解正面等角図である。
【図１１】図１０のフレームの分解背面等角図である。
【図１２】分配システムの第２の実施形態の正立面図である。
【図１３】図１２の分配システムの平面図である。
【図１４】図１２の分配システムの側立面図である。
【図１５】分配システムの第３の実施形態の正立面図である。
【図１６】図１５の分配システムの平面図である。
【図１７】図１５の分配システムの側立面図である。
【図１８】分配システムの第４の実施形態の正立面図である。
【図１９】図１８の分配システムの平面図である。
【図２０】図１８の分配システムの側立面図である。
【図２１】分配システムの第５の実施形態の正立面図である。
【図２２】図２１の分配システムの側立面図である。
【図２３】分配システムの第６の実施形態の分解正面等角図であり、フレームの分離された前部ブロックおよび後部ブロックを示す。
【図２４】図２３の分配システムの分解背面等角図であり、フレームの分離された前部ブロックおよび後部ブロックを示す。
【図２５】組み立てられた図２３の分配システムの側立面図である。
【図２６】分配システムの第７の実施形態の正立面図である。
【図２７】図２６の分配システムの背立面図である。
【図２８】図２６の分配システムの背面等角図である。
【図２９】図２６の分配システムの側立面図である。
【図３０】図２６の分配システムの平面図である。
【図３１】図２６の分配システムの分解背面等角図であり、ディスプレイフレームと装飾的要素とディスペンサとを図示する。
【図３２】図２６の線３２−３２に沿って切り取られた分配システムの断面図であり、ディスペンサをさらに含む。
【図３３】図２８に描かれたものに類似した分配システムの背面等角図であり、いくつかの突起物をさらに含む。
【図３４】図３３の線３４−３４に沿って切り取られた分配システムの断面図であり、ディスペンサをさらに含む。
【図３５】図２８に描かれたものに類似した分配システムの背面等角図であり、隆起したバーをさらに含む。
【図３６】図２８に描かれたものに類似した分配システムの背面等角図であり、２つの隆起した凸部をさらに含む。
【図３７】図２８に描かれたものに類似した分配システムの背面等角図であり、複数の立ち上がり部分をさらに含む。
【図３８】図１５〜１７に描かれた第３の実施形態に類似した分配システムの第８の実施形態の背面等角図であり、段付凹部をさらに含み、スロットが省略されている。
【図３９】図１〜７に描かれた第１の実施形態および図１８〜２０に描かれた第４の実施形態に類似した分配システムの第９の実施形態の背面等角図であり、段付凹部をさらに含み、スロットが省略されている。
【図４０】図２８に描かれたものに類似した、分配システムの第１０の実施形態の背面等角図であり、ディスペンサおよび詰め替えホルダをさらに含む。
【図１】
2009532100.tif 000003
【図２】
2009532100.tif 000004
【図３】
2009532100.tif 000005
【図４】
2009532100.tif 000006
【図５】
2009532100.tif 000007
【図６】
2009532100.tif 000008
【図７】
2009532100.tif 000009
【図８】
2009532100.tif 000010
【図９】
2009532100.tif 000011
【図１０】
2009532100.tif 000012
【図１１】
2009532100.tif 000013
【図１２】
2009532100.tif 000014
【図１３】
2009532100.tif 000015
【図１４】
2009532100.tif 000016
【図１５】
2009532100.tif 000017
【図１６】
2009532100.tif 000018
【図１７】
2009532100.tif 000019
【図１８】
2009532100.tif 000020
【図１９】
2009532100.tif 000021
【図２０】
2009532100.tif 000022
【図２１】
2009532100.tif 000023
【図２２】
2009532100.tif 000024
【図２３】
2009532100.tif 000025
【図２４】
2009532100.tif 000026
【図２５】
2009532100.tif 000027
【図２６】
2009532100.tif 000028
【図２７】
2009532100.tif 000029
【図２８】
2009532100.tif 000030
【図２９】
2009532100.tif 000031
【図３０】
2009532100.tif 000032
【図３１】
2009532100.tif 000033
【図３２】
2009532100.tif 000034
【図３３】
2009532100.tif 000035
【図３４】
2009532100.tif 000036
【図３５】
2009532100.tif 000037
【図３６】
2009532100.tif 000038
【図３７】
2009532100.tif 000039
【図３８】
2009532100.tif 000040
【図３９】
2009532100.tif 000041
【図４０】
2009532100.tif 000042
【国際調査報告】
2009532100.tif 000043
2009532100.tif 000044